(57)【要約】【課題】建築物の外壁に当接し、仮設足場を支持させても外壁を破損させることがなく、且つ塗装後の外壁に当接させても塗装面を傷めることがない仮設足場支持装置の外壁保護具。【解決手段】外壁保護具２のベース部３は可撓性のある材料で構成されており、クッション部５は柔軟性のある材料で構成されている。従って、作業や風によって仮設足場が揺れて大きな圧力が突っ張り部材３２に加わっても、外壁保護具２がその圧力を和らげるため、外壁Ｗには大きな圧力がかからず、外壁Ｗが破損するのを防止することができる。また、外壁Ｗは塗料が付着し難くなる加工を施した剥離紙１７と当接するため、外壁保護具２が塗装後の外壁Ｗに当接しても塗装面を傷めるのを防止することができる。【選択図】        図４
2014091989.tif 000002
【特許請求の範囲】
【請求項１】
建築物の外周に沿って組み立てられた仮設足場と建築物の外壁の間に備えて、仮設足場を建築物の外壁に対し突っ張り支持する仮設足場支持装置の突っ張り部材と外壁との間に介在させる仮設足場支持装置用の外壁保護具であって、
可撓性のある材料によって構成された平板状のベース部と、前記ベース部の表面に対し固定された柔軟性のある材料によって構成されたクッション部とから成ることを特徴とする仮設足場支持装置用の外壁保護具。
【請求項２】
請求項１に記載した仮設足場支持装置用の外壁保護具において、クッション部の表面に外壁に塗布された塗料が付着し難くなる加工を施した防付着シートを備えたことを特徴とする仮設足場支持装置用の外壁保護具。
【請求項３】
請求項２に記載した仮設足場支持装置用の外壁保護具において、防付着シートは着脱自在であることを特徴とする仮設足場支持装置用の外壁保護具。
【請求項４】
請求項１から３のいずれかに記載した仮設足場支持装置用の外壁保護具において、ベース部裏面の縁部に凸条が形成されていることを特徴とする仮設足場支持装置用の外壁保護具。
【発明の詳細な説明】
【技術分野】
【０００１】
本発明は、仮設足場を建築物の外壁に対し突っ張り支持する仮設足場支持装置の突っ張り部材と外壁との間に介在させる仮設足場支持装置用の外壁保護具に関するものである。
【背景技術】
【０００２】
建築物の外壁の塗装等を行う場合、建築物の外周に仮設足場を組み立てて作業を行う。この仮設足場は、建築物の外周に沿って間隔を空けて立設される複数の支柱と、各支柱間に架け渡される複数の踏板等によって構成されている。この仮設足場には、例えば特許文献１に記載される建築物の外壁に対し仮設足場を支持する仮設足場支持装置が備えられている。仮設足場支持装置には突っ張り部材が備えられており、この突っ張り部材が建築物の外壁に当接し、仮設足場を突っ張り支持している。
【先行技術文献】
【特許文献】
【０００３】
【特許文献１】特開２０１１−１０６１６１号公報
【発明の概要】
【発明が解決しようとする課題】
【０００４】
しかしながら、作業や風によって仮設足場が揺れると大きな圧力が突っ張り部材を介して外壁にかかってしまい、外壁を破損させてしまう恐れがある。
また、突っ張り部材は金属等の硬い材料によって構成されているため、建築物の外壁の塗装を行う場合、塗装面が十分に乾かないうちに突っ張り部材を当接させると、僅かな圧力であっても突っ張り部材が塗装面を傷めてしてしまうという問題がある。
【０００５】
本発明は上記従来の問題点に着目して為されたものであり、建築物の外壁に当接し、仮設足場が揺れても外壁を破損させることがなく、且つ塗装後の外壁に当接させても塗装面を傷めることがない仮設足場支持装置の外壁保護具を提供することを、その目的とする。
【課題を解決するための手段】
【０００６】
本発明は上記課題を解決するためになされたものであり、請求項１の発明は、建築物の外周に沿って組み立てられた仮設足場と建築物の外壁の間に備えて、仮設足場を建築物の外壁に対し突っ張り支持する仮設足場支持装置の突っ張り部材と外壁との間に介在させる仮設足場支持装置用の外壁保護具であって、
可撓性のある材料によって構成された平板状のベース部と、前記ベース部の表面に対し固定された柔軟性のある材料によって構成されたクッション部とから成ることを特徴とする仮設足場支持装置用の外壁保護具である。
【０００７】
請求項２の発明は、請求項１に記載した仮設足場支持装置用の外壁保護具において、クッション部の表面に外壁に塗布された塗料が付着し難くなる加工を施した防付着シートを備えたことを特徴とする仮設足場支持装置用の外壁保護具である。
【０００８】
請求項３の発明は、請求項２に記載した仮設足場支持装置用の外壁保護具において、防付着シートは着脱自在であることを特徴とする仮設足場支持装置用の外壁保護具である。
【０００９】
請求項４の発明は、請求項１から３のいずれかに記載した仮設足場支持装置用の外壁保護具において、ベース部の裏面の縁部に凸条が形成されていることを特徴とする外壁保護具である。
【発明の効果】
【００１０】
本発明の仮設足場支持装置の外壁保護具によれば、仮設足場支持装置と外壁の間に外壁保護具を介在させることによって、作業や風によって仮設足場が揺れて大きな圧力が突っ張り部材を介して外壁にかかってしまっても、外壁を破損させる恐れがない。また、外壁保護具の表面には塗料が付着し難い防付着シートが備えられているため、外壁保護具を塗装後の外壁に当接させても塗装面を傷めることを防止することができる。
【図面の簡単な説明】
【００１１】
【図１】本発明の実施の形態に係る仮設足場支持装置の外壁保護具の分解斜視図である。
【図２】図１に示す仮設足場支持装置の外壁保護具の外壁に当接する面を示す斜視図である。
【図３】図２の仮設足場支持装置の外壁保護具を突っ張り部材に取り付ける方法を説明するための側面図である。
【図４】図２の仮設足場支持装置の外壁保護具の使用方法を説明するための側面図である。
【図５】図２の仮設足場支持装置の外壁保護具の第２の使用方法を示す斜視図である。
【発明を実施するための形態】
【００１２】
本発明の実施の形態に係る仮設足場支持装置１の外壁保護具２を図面にしたがって説明する。
符号３はベース部を示し、図１に示すように、ベース部３は正方形の平板状を為している。ベース部３の厚みは、約１ｃｍであり、可撓性のある発泡ポリエチレンビーズ（株式会社カネカ製  商品名：エペランＸＬ）で構成されている。ベース部３の表面には柔軟性のあるクッション部５が接着固定されており、このクッション部５はベース部３の表面と同じ大きさの正方形を為しており、約３ｃｍの厚みに設定されている。クッション部５は柔軟性のあるポリエーテル系軟質ウレタンフォーム（倉敷紡績株式会社  商品名：クララフォーム３８８Ｇ）で構成されている。
ベース部３の裏面の四隅の縁部には、角部に沿う鉤型の凸条７が設けられている。
ベース部３、クッション部５及び凸条７によって外壁保護具本体９が構成されている。
【００１３】
符号１１は袋状部を示し、この袋状部１１は略正方形のビニールシート１３の端部を折り返してヒートシールし、その折り返した部分に輪ゴム１５を通して袋状にしたものである。この袋状部１１の表面には、塗料が付着し難くなるシリコーン樹脂等の加工が施された剥離紙１７が接着固定されており、この剥離紙１７はクッション部５の表面よりわずかに大きな正方形を為している。
袋状部１１と剥離紙１７によって防付着シートが構成されている。
【００１４】
仮設足場支持装置１について説明する。
図３、図４において符号１９は固定管を示し、この固定管１９は比較的短寸法のパイプ状を為している。この固定管１９の一端側には仮設足場の支柱２１に固定するための固定具２３が設けられ、他端側には周方向に突出するハンドル２５が固定された回転管２７が回動自在に取り付けられている。回転管２７には雄ねじシャフト２９が螺合されており、さらにこの雄ねじシャフト２９の先端には椀状の当接部３１が固定されている。
当接部３１、雄ねじシャフト２９によって突っ張り部材３２が構成されている。
【００１５】
本実施の形態に係る外壁保護具２の使用方法について説明する。
外壁Ｗを塗装する際に外壁保護具２を使用する場合、まず袋状部１１の輪ゴム１５を弾性変形させて袋状部１１の口を広げ、外壁保護具本体９の表面側から袋状部１１を被せる。そして図２に示すように、袋状部１１の剥離紙１７をクッション部５の表面と重なるようにする。
次に、図３に示すように当接部３１が外壁Ｗから離間した状態で、当接部３１と外壁Ｗの間に外壁保護具２を配置する。袋状部１１の輪ゴム１５を弾性変形させて袋状部１１の口を広げ、袋状部１１で当接部３１の前端部を覆うように外壁保護具２を当接部３１に被せる。
ハンドル２５を持って回転管２７を回し、雄ねじシャフト２９を突出する方向に進行させて、当接部３１が外壁保護具２を外壁Ｗに押圧させる。したがって、剥離紙１７が外壁Ｗに接触する状態となる。
【００１６】
外壁保護具２のベース部３は前述のとおり、可撓性のある材料で構成されており、クッション部５は柔軟性のある材料で構成されている。従って、作業や風によって仮設足場が揺れて大きな圧力が突っ張り部材３２に加わっても、外壁保護具２がその圧力を和らげるため、外壁Ｗには大きな圧力がかからず、外壁Ｗが破損するのを防止することができる。
また、ベース部３の裏面の四隅の縁部に凸条７が接着されているため、仮設足場が揺れても、ベース部３と当接部３１との間にずれが生じることを防止することが可能である。
【００１７】
外壁保護具２が当接している部分を塗装するときは、ハンドル２５を持って回転管２７を逆方向に回して雄ねじシャフト２９を後退させ、当接部３１が外壁Ｗから離間した状態で塗装を行う。外壁Ｗの塗装面Ｐがある程度乾いたら、再びハンドル２５を持って回転管２７を回して雄ねじシャフト２９を突出する方向に進行させると、当接部３１が外壁保護具２を外壁Ｗに押圧させる。
【００１８】
外壁Ｗは塗料が付着し難くなる加工を施した剥離紙１７と当接するため、外壁保護具２が塗装後の外壁Ｗに当接しても塗装面を傷めるのを防止することができる。
また、袋状部１１が当接部３１と外壁保護具本体９を覆っているため、塗装作業をしている間、塗料等によって当接部３１と外壁保護具本体９が汚れることを防ぐことができる。
【００１９】
本実施の形態に係る外壁保護具２のその他の使用方法として、図５に示すように袋状部１１を被せることなく、外壁保護具本体９を使用することが可能である。
この外壁保護具本体９はクッション部５が弾性変形するので、トタンなどの表面に凹凸がある外壁Ｗであっても、クッション部５がその凹凸に沿って変形して外壁Ｗを保護する。従って、外壁保護具本体９によれば、凹凸等のある外壁Ｗに突っ張り部材３２を突っ張り支持させても外壁Ｗを傷める恐れがない。
【００２０】
以上、本発明の実施の形態について詳述してきたが、具体的構成は、この実施の形態に限られるものではなく、本発明の要旨を逸脱しない範囲における設計の変更などがあっても発明に含まれる。
例えば、本実施の形態において、外壁保護具本体９の表面と裏面の形状と剥離紙１７の形状は正方形を為しているが、当接部３１の端面を保護できる大きさを有していれば、正円など、どのような形状でもよい。
また、本実施の形態では、ベース部３、クッション部５の厚さ寸法を具体的な寸法を挙げて説明したが、これらの厚さ寸法は自由に変更することができる。
さらに、本実施の形態では、ベース部３に具体的な材料を挙げて説明したが、上記した材料に限定されず、可撓性のある材料であればどのようなものを使用してもよい。同様に、クッション部５も、柔軟性のある材料であればどのようなものを使用してもよい。
また、本実施の形態の凸条７は、ベース部３の四方の縁部だけでなく縁部の全周に備えてもよい。
【産業上の利用可能性】
【００２１】
仮設足場の製造業や、外壁の塗装や修理を行う修理業、建設業等に利用可能性を有する。
【符号の説明】
【００２２】
１…仮設足場支持装置            ２…外壁保護具
３…ベース部                    ５…クッション部
７…凸条                        ９…外壁保護具本体
１１…袋状部                    １３…ビニールシート
１５…輪ゴム                    １７…剥離紙
１９…固定管                    ２１…支柱
２３…固定具                    ２５…ハンドル
２７…回転管                    ２９…雄ねじシャフト
３１…当接部                    ３２…突っ張り部材
Ｗ…外壁                        Ｐ…塗装面
【図１】
2014091989.tif 000003
【図２】
2014091989.tif 000004
【図３】
2014091989.tif 000005
【図４】
2014091989.tif 000006
【図５】
2014091989.tif 000007